(57)【要約】【課題】本発明による防水シ−トの敷設法によれば、作業現場にてカッタ−の使用頻度は少なくなり、これによる危険性や、作業性の悪さ、時間の浪費等が改善されたもので、工業的価値は極めて高い。【解決手段】熱融着性の防水シ−トＡとＢとの縁辺部ａ、ｂをオ−バ−ラップさせ、更に、このオ−バ−ラップ端部に同効の防水シ−トＣの縁辺部ｃをオ−バ−ラップさせ、各オ−バ−ラップ部位を帯状に融着してなる防水シ−トの敷設法であって、防水シ−トＡとＢとの縁辺部ａ、ｂのオ−バ−ラップ部位を融着機にて直線状に融着Ｐし、次いで、当該融着部Ｐの防水シ−トＣに接触する側の縁辺部ｂを融着部Ｐb0とし、かつ、この融着部Ｐb0の端部を段差面カットし、その後、防水シ−トＣの縁辺部ｃとのオ−バ−ラップ部位を同様に融着Ｑしたことを特徴とする防水シ−トの接合法。Ａ、Ｂ、Ｃ‥防水シ−ト、ａ、ｂ‥防水シ−トの縁辺部、ａ0 、ｂ0 ‥非融着部、Ｍｂ‥面取り部、Ｐ、Ｑ‥帯状融着部。【選択図】図１ 
2005113646.tif 000002
【特許請求の範囲】
【請求項１】
熱融着性の防水シ−トＡとＢとの縁辺部ａ、ｂをオ−バ−ラップさせ、更に、このオ−バ−ラップ端部に同効の防水シ−トＣの縁辺部ｃをオ−バ−ラップさせ、各オ−バ−ラップ部位を帯状に融着してなる防水シ−トの敷設法であって、防水シ−トＡとＢとの縁辺部ａ、ｂのオ−バ−ラップ部位を融着機にて直線状に融着Ｐし、次いで、当該融着部Ｐの防水シ−トＣに接触する側の縁辺部ｂを融着部とし、かつ、この融着部の端部を段差面カットし、その後、防水シ−トＣの縁辺部ｃとのオ−バ−ラップ部位を同様に融着Ｑしたことを特徴とする防水シ−トの接合法。
【請求項２】
縁辺部ｂに融着部ｂ0 があればこの部位を融着部とする請求項１記載の防水シ−トの接合法。
【請求項３】
縁辺部ａに融着部ａ0 があればこの部位を融着部とする請求項１記載の防水シ−トの接合法。
【請求項４】
融着部の端部を段差面カットする請求項３記載の防水シ−トの接合法。
【請求項５】
段差面カットは研磨機にて切除又はロ−ラ−にて押し潰す請求項１又は４いずれか記載の防水シ−トの接合法。
【発明の詳細な説明】
【技術分野】
【０００１】
本発明は主として産業廃棄物処理場の防水（遮水）に好適な防水シートの敷設法に関するもので、詳しくは熱融着性の防水シートの縁部を相互にオーバ−ラップさせ、そのオーバ−ラップ部を融着機により融着接合する防水シートの接合法に係るものである。
【背景技術】
【０００２】
従来の防水シートの接合法は、基本的に方形の防水シートの四周をオーバラップさせ、このオ−バ−ラップ部位を融着することが行われているが、角部ではシ−トが四枚重なるため、周囲とは厚さが極端に異なり、融着不良となることが多かった。このため、漏水を防止する目的で、更に四枚重ねのオーバラップの上から別のシート片を重ねて融着することも行われているが、完全なものとはいい難く、作業性も悪い。
【０００３】
又、特許文献１には、二枚の防水シートの縁辺部をオ−バ−ラップさせ、このオ−バ−ラップ端部に第三の防水シートの縁辺部をオ−バ−ラップさせて三枚重ねとし、先ず二枚の防水シ−トをいずれも耳部を残して融着し、その後、第三の防水シ−トを融着する部位の両方の耳部をカットして融着に供する技術が開示されている。しかしながら、この方法によれば、施工現場で防水シ−トをカットする作業が多くなってしまうという課題が残っている。
【０００４】
【特許文献１】特公平７−７２４７９号
【発明の開示】
【発明が解決しようとする課題】
【０００５】
本発明の目的は、施工現場でのカットをできるだけ少なくし、容易に防水シートの融着を行うことができる防水シートの敷設法を提供するにある。即ち、段差カットの際、耳部の根本から切除しなくてはならないため、本体のシ−トに損傷を与えてしまうという恐れがあり、カット作業は慎重に正確に行われなくてはならず、極めて熟練を要していた。また、複雑なカット作業であるため、作業者に危険を伴うものであり、作業時間も長くかかっていた。
【課題を解決するための手段】
【０００６】
本発明の要旨は、熱融着性の防水シ−トＡとＢとの縁辺部ａ、ｂをオ−バ−ラップさせ、更に、このオ−バ−ラップ端部に同効の防水シ−トＣの縁辺部ｃをオ−バ−ラップさせ、各オ−バ−ラップ部位を帯状に融着してなる防水シ−トの敷設法であって、防水シ−トＡとＢとの縁辺部ａ、ｂのオ−バ−ラップ部位を融着機にて直線状に融着Ｐし、次いで、当該融着部Ｐの防水シ−トＣに接触する側の縁辺部ｂを融着部とし、かつ、この融着部の端部を段差面カットし、その後、防水シ−トＣの縁辺部ｃとのオ−バ−ラップ部位を同様に融着Ｑしたことを特徴とする接合法である。
【発明の効果】
【０００７】
本発明による防水シ−トの接合法によれば、作業現場にてカッタ−の使用頻度は少なくなり、これによる危険性や、作業性の悪さ、時間の浪費等が改善されたもので、工業的価値は極めて高い。
【発明を実施するための最良の形態】
【０００８】
本発明にあって、融着機による現場作業時に、できるだけ作業をしやすい工法を提供するものである。このため、作業現場での防水シ−トのカット工程を省略する工法であり、かつ融着が確実に行われるものである。
【０００９】
特に、特許文献１によれば、防水シ−トＡ、Ｂの両方の縁辺部ａ、ｂを非融着部とし、これを現場にてカットし処置するというものであるが、本発明ではこれを改め、防水シ−トＣと接する側の縁辺部のみを処置するだけで十分な工法である。
【００１０】
更に具体的構成として、縁辺部ｂが融着部Ｐ以外に非融着部ｂ0 があれば、この部位をカットして融着部とするものであり、この融着部の端部に生じる段差部分を段差面カットするものである。かかる段差面カットは任意の方法が用いられ、例えば、カッタ−にて面取りを施したり、研磨機にて研磨したり、更にはロ−ラ−掛けして段差をなくしたりするものである。かかる面取りは防水シ−トＣとの接触部を平面化して隙間をなくし、融着を完全に行わせるものである。
【００１１】
一方、本発明にあっては縁辺部ａの形態については特に限定はないが、非融着部ａ0 となっている場合には、カットせずに防水シ−トＢ面に融着させ、融着部としてしまうのがよい。更に好ましくは、かかる融着部の端部を段差面カットするのがよい。
【実施例】
【００１２】
以下、本発明の実施例を図面をもって説明する。
図１はその第１例を示すもので、（イ）は融着が完了した際の平面図、（ロ）はその断面図、（ハ）は中間段階の図である。Ａ、Ｂ、Ｃは防水シ−トであり、防水シ−トＡ、Ｂの縁辺部ａ、ｂがオ−バ−ラップされ、この例ではオ−バ−ラップの中央部が帯状に融着Ｐされる。尚、防水シ−トＢ側の縁辺部ｂが防水シ−トＣに接触する構造である。この例にあっては、縁辺部ａ、ｂに非融着部ａ0 、ｂ0 が存在しているが、特に縁辺部ｂ側の非融着部ｂ0 をカットして実質的に融着部としたもので、更にこのカット部位を面取りＭｂしたものである。これにより、防水シ−トＣが融着Ｑされた際には、各シ−ト間に隙間なく融着Ｐ、Ｑが完了する。
【００１３】
防水シートＡ、Ｂ及びＣのオーバ−ラップ部を融着するための融着機は図示しないが、例えばモータ駆動による車輪によって自走式のものがよく、防水シートのオーバ−ラップ部を挟圧するためのピンチロール及び発熱型鏝が備えられたもので、かかる鏝によって帯状にオ−バ−ラップ部を加熱し、次いでピンチロ−ルにて挟圧して帯状に融着する構造となっている。通常は、オ−バ−ラップ内に鏝が挿入されて帯状に加熱帯を形成するものである。
【００１４】
図２は第２例を示すもので、防水シ−トＡ、Ｂの縁辺部ａ、ｂがオ−バ−ラップされ、帯状に融着Ｐされる。そして、縁辺部ｂのみが非融着部ｂ0 とされたものである。かかる縁辺部ｂを前例と同様に処理して防水シ−トＣを融着Ｑして防水シ−トが完成された。
【００１５】
図３は第３例を示すもので、防水シ−トＡ、Ｂの縁辺部ａ、ｂがオ−バ−ラップされ、帯状に融着Ｐされる。そして、縁辺部ｂは非融着部が形成されずにそのまま融着部Ｐとされたものである。かかる縁辺部ｂにあって、この部位を面取りＭｂしたものである。これにより、防水シ−トＣが融着Ｑされた際には、各シ−ト間に隙間なく融着Ｐ、Ｑが完了する。尚、防水シ−トＣと接触しない側の縁辺部ａは非融着部ａ0 となっているが、これは以降の作業に直接影響は少なく、そのままとされた。
【００１６】
図４は第４例を示すもので、防水シ−トＡ、Ｂの縁辺部ａ、ｂがオ−バ−ラップされ、帯状に融着Ｐされる。縁辺部ａ、ｂに非融着部ａ0 、ｂ0 が存在しているが、特に縁辺部ｂ側の非融着部ｂ0 をカットして実質的に融着部としたもので、更にこのカット部位を面取りＭｂしたものである。一方、非融着部ａ0 はカットせずに例えば小型の手動式の融着機を用いて防水シ−トＢ面に融着し、その縁辺部ａ0 の先端を段差面カットしたものである。この例では、熱を掛けつつロ−ラ−にて押し潰して面取りＭａを行った。この面取りＭａは防水シ−トＣを融着する際に融着機の走行をスム−ズに走行させるためのものである。尚、段差面カットと融着の順を逆にしてもよい。
【産業上の利用可能性】
【００１７】
本発明による防水シ−トの接合法によれば、作業現場にてカッタ−の使用頻度は少なくなり、これによる危険性や、作業性の悪さ、時間の浪費等が改善されたもので、工業的価値は極めて高い。
【図面の簡単な説明】
【００１８】
【図１】図１は本発明の第１例を示す図である。
【図２】図２は本発明の第２例を示す図である。
【図３】図３は本発明の第３例を示す図である。
【図４】図４は本発明の第４例を示す図である。
【符号の説明】
【００１９】
Ａ、Ｂ、Ｃ‥防水シ−ト、
ａ、ｂ‥防水シ−トＡ、Ｂの縁辺部、
ａ0 、ｂ0 ‥非融着部、
Ｍａ、Ｍｂ‥面取り部、
Ｐ、Ｑ‥帯状融着部。
【図１】
2005113646.tif 000003
【図２】
2005113646.tif 000004
【図３】
2005113646.tif 000005
【図４】
2005113646.tif 000006